(57)【要約】【課題】通信不可能な無線タグラベルを防止してＲＦＩＤシステムの効率的な運用を図ること。【解決手段】無線タグラベルＴは、上面側から貼付対象に向かって、インレット１１０を保護する保護層２０１と、無線タグ回路素子Ｔｏを含むインレット１１０と、インレット１１０を配置した基板２０２と、貼付対象に対して本貼りをおこなうための強粘着材層２０３と、強粘着材層２０３を覆い、本貼りの際に剥離される剥離紙（剥離材層）２０４と、貼付対象に対して複数回着脱可能に仮貼りをおこなうための弱粘着材層２０５と、を備える。【選択図】図２
2010079800.tif 000002
【特許請求の範囲】
【請求項１】
タグ側アンテナが接続された無線タグ回路素子を有する無線タグラベルであって、
前記無線タグ回路素子から前記無線タグラベルの貼付対象方向に向かって、前記無線タグ回路素子側に強粘着材層、貼付対象側に弱粘着材層を備えたことを特徴とする無線タグラベル。
【請求項２】
前記強粘着材層と、前記弱粘着材層との間に、前記強粘着材層によって前記貼付対象に貼り付ける際には剥離可能な剥離材層をさらに備え、
前記剥離材層は、
前記強粘着材層との剥離に必要な剥離強度の方が、前記弱粘着材層との剥離強度よりも大きいことを特徴とする請求項１に記載の無線タグラベル。
【請求項３】
前記剥離材層は、
外縁の一部をラベル本体から突出させた剥離用のつまみを備えることを特徴とする請求項１または２に記載の無線タグラベル。
【請求項４】
前記弱粘着材層は、
前記貼付対象に対する貼付面の少なくとも一部に設けられたことを特徴とする請求項１〜３のいずれか一つに記載の無線タグラベル。
【請求項５】
タグ側アンテナが接続された無線タグ回路素子を有する無線タグラベルであって、
前記無線タグ回路素子の貼付面上に強粘着材層、弱粘着材層が設けられた粘着材層を備えたことを特徴とする無線タグラベル。
【請求項６】
前記粘着材層は、
前記弱粘着材層の周囲に前記強粘着材層を備えることを特徴とする請求項５に記載の無線タグラベル。
【請求項７】
前記粘着材層と覆うとともに、前記貼付対象に貼り付け時には剥離可能な剥離材層をさらに備え、
前記剥離材層は、
前記弱粘着材層を覆う弱粘着材層用剥離材層と、前記強粘着材層を覆う強粘着材層用剥離材層との境界にハーフカット線が設けられたことを特徴とする請求項５または６に記載の無線タグラベル。
【発明の詳細な説明】
【技術分野】
【０００１】
この発明は、外部と情報の無線通信が可能である無線タグ回路素子を備えた無線タグラベルに関する。
【背景技術】
【０００２】
従来より、情報を記憶する無線タグ回路素子に対し、非接触で情報の送受信をおこなうＲＦＩＤ（Ｒａｄｉｏ  Ｆｒｅｑｕｅｎｃｙ  Ｉｄｅｎｔｉｆｉｃａｔｉｏｎ ）システムが知られている。一般に、無線タグ回路素子は、ラベル状の素材上に無線タグラベルとして形成され、この無線タグラベルが、たとえば、各種書類・物品の分類・整理のために対象物品などに貼り付けられることが多い。
【０００３】
近年では、対象物品に貼付された無線タグラベルを剥離する際、対象物品側に無線タグラベルのタグ側アンテナやＩＣ回路部などが残らないように、中間基材を介して２層の粘着材層を有する無線タグラベルが提案されている（特許文献１）。
【０００４】
具体的には、特許文献１に記載の無線タグラベルは、タグ側アンテナやＩＣ回路部を備えるインレットと中間基材との間の粘着材層、中間基材と対象物品との間の粘着材層をそれぞれ有している。加えて、この無線タグラベルは、中間基材における対象物品側の粘着材層に接する面に弱離型性面を形成する。このような構成とすることで、無線タグラベルは、対象物品から剥離される際に中間基材から上の部分（中間基材、インレットを含む部分）が分離されて剥離される。
【特許文献１】特開２００８−３３３８３号公報
【発明の開示】
【発明が解決しようとする課題】
【０００５】
無線タグラベルは、貼付された環境の影響で正常に動作しない場合がある。具体的には、無線タグラベルが正常に動作しない環境は、アンテナの向きなどに起因する読み取り方向や対象物品の物性などの影響を受ける場合などがある。こうした環境下では、貼付された無線タグラベルを剥離させて、再度貼りなおしをおこなうことが無線タグラベルを無駄にせず、ＲＦＩＤシステムの運用上望ましい。
【０００６】
しかしながら、上述した特許文献１に記載の従来技術では、２層の粘着層によって中間基材から上の部分を剥離させても、無線タグラベルを再度貼付することは考慮されていなかった。したがって、無線タグラベルが正常に動作しない場合、新たに無線タグラベルを用意しなければならないという問題があった。
【０００７】
この発明は、上述した問題を解消するため、容易に無線タグラベルの貼りなおしを可能にすることで、無線タグラベルの無駄を防止することができる無線タグラベルを提供することを目的とする。
【課題を解決するための手段】
【０００８】
上述した課題を解決し、目的を達成するため、請求項１の発明にかかる無線タグラベルは、タグ側アンテナが接続された無線タグ回路素子を有する無線タグラベルであって、前記無線タグ回路素子から前記無線タグラベルの貼付対象方向に向かって、前記無線タグ回路素子側に強粘着材層、貼付対象側に弱粘着材層を備えたことを特徴とする。
【０００９】
請求項２の発明にかかる無線タグラベルは、請求項１に記載の発明において、前記強粘着材層と、前記弱粘着材層との間に、前記強粘着材層によって前記貼付対象に貼り付ける際には剥離可能な剥離材層をさらに備え、前記剥離材層は、前記強粘着材層との剥離に必要な剥離強度の方が、前記弱粘着材層との剥離強度よりも大きいことを特徴とする。
【００１０】
請求項３の発明にかかる無線タグラベルは、請求項１または２に記載の発明において、前記剥離材層は、外縁の一部をラベル本体から突出させた剥離用のつまみを備えることを特徴とする。
【００１１】
請求項４の発明にかかる無線タグラベルは、請求項１〜３のいずれか一つに記載の発明において、前記弱粘着材層は、前記貼付対象に対する貼付面の少なくとも一部に設けられたことを特徴とする。
【００１２】
請求項５の発明にかかる無線タグラベルは、タグ側アンテナが接続された無線タグ回路素子を有する無線タグラベルであって、前記無線タグ回路素子の貼付面上に強粘着材層、弱粘着材層が設けられた粘着材層を備えたことを特徴とする。
【００１３】
請求項６の発明にかかる無線タグラベルは、請求項５に記載の発明において、前記粘着材層は、前記弱粘着材層の周囲に前記強粘着材層を備えることを特徴とする。
【００１４】
請求項７の発明にかかる無線タグラベルは、請求項５または６に記載の発明において、前記粘着材層と覆うとともに、前記貼付対象に貼り付け時には剥離可能な剥離材層をさらに備え、前記剥離材層は、前記弱粘着材層を覆う弱粘着材層用剥離材層と、前記強粘着材層を覆う強粘着材層用剥離材層との境界にハーフカット線が設けられたことを特徴とする。
【発明の効果】
【００１５】
請求項１にかかる発明によれば、貼付対象に対して弱粘着材層によって複数回の貼り直し（仮貼り）ができ、強粘着材層によって本貼りができるため、正常に動作できる環境に適切に貼付することができる。
【００１６】
請求項２にかかる発明によれば、弱粘着材層による仮貼りに対する貼り直しをおこなう際、強粘着材層が露出することを防ぐことができるため、複数回の仮貼りをおこなうことができる。
【００１７】
請求項３にかかる発明によれば、弱粘着材層による仮貼りの後、強粘着材層で本貼りをおこなう際に、簡易に強粘着材層を露出させて本貼りをおこなうことができる。
【００１８】
請求項４にかかる発明によれば、弱粘着材層に使用する粘着材を節約しつつ、無線タグラベルの仮貼りをおこなうことができる。
【００１９】
請求項５にかかる発明によれば、無線タグ回路素子の貼付面上に強粘着材層、弱粘着材層を設ける構成であるため、粘着材の使用量を節約しつつ、無線タグラベルの仮貼りと本貼りをおこなうことができる。
【００２０】
請求項６にかかる発明によれば、弱粘着材層によって無線タグラベルの仮貼りをおこなった後、弱粘着材層の周囲の強粘着材層で本貼りをおこなうことができるため、粘着材の使用量を節約しつつ、貼付対象へ均一に本貼りすることができる。
【００２１】
請求項７にかかる発明によれば、剥離材層にハーフカット線を設けているため、弱粘着材層による仮貼り、強粘着材層による本貼りの際、適切に剥離材層を剥離して貼付対象に貼付することができる。
【００２２】
以上説明したように、本発明にかかる無線タグラベルによれば、金属に近接したりタグアンテナの向きとリーダの読取りの向きとが相違したりして、正常に通信できない環境下において、容易に無線タグラベルの貼りなおしを可能にすることで、無線タグラベルを無駄にすることなく通信をすることができるため、無線タグラベルを用いたＲＦＩＤシステムの効率的な運用を図ることができるという効果を奏する。
【発明を実施するための最良の形態】
【００２３】
以下に添付図面を参照して、この発明にかかる無線タグラベルの好適な実施の形態を詳細に説明する。
【００２４】
（実施形態１）
図１および図２を用いて、本発明にかかる無線タグラベルについて説明する。図１は、本発明の実施形態１にかかる無線タグラベルの一例を示す平面図である。図２は、図１に示した無線タグラベルの層構造を模式的に表す断面図である。
【００２５】
図１において、無線タグラベルＴは、情報を記憶するＩＣ回路部１０１と、このＩＣ回路部１０１に接続されたタグ側アンテナ１０２とを備えた無線タグ回路素子Ｔｏを含むインレット１１０を有している。この無線タグラベルＴは、後述する弱粘着材層２０５や強粘着材層２０３によって貼付対象の物品に貼付される。そして、利用者は、図示しない無線タグ通信装置などの外部機器によってＩＣ回路部１０１から情報を読み取ることで、無線タグラベルＴが貼付された物品の管理をおこなう。なお、図１の説明では、インレット１１０に無線タグ回路素子Ｔｏを含む構成として説明するが、これに限ることはない。具体的には、たとえば、後述する基板２０２にタグ側アンテナ１０２を印刷するなどして配置し、そのタグ側アンテナにＩＣ回路部１０１を接続することで基板２０２に無線タグ回路素子Ｔｏを備えることとしてもよい。
【００２６】
具体的には、ＩＣ回路部１０１は、無線タグラベルＴのタグＩＤ（識別情報）などの情報を記憶する。また、ＩＣ回路部１０１は、タグ側アンテナ１０２で受信した電波を情報信号で変調して反射することで情報を返信する。
【００２７】
タグ側アンテナ１０２は、図示しない無線タグ通信装置などの外部機器から出力される質問信号を受信する。また、タグ側アンテナ１０２は、ＩＣ回路部１０１によって変調された応答信号を図示しない無線タグ通信装置などの外部機器へ送信する。なお、図１の説明では、タグ側アンテナ１０２の形状を直線状にしているが、これに限ることはなく、ループ形状など無線タグラベルに用いられる公知のアンテナを用いることができる。
【００２８】
図２に示すように、無線タグラベルＴは、上面側（図２中上側）から貼付対象（図２中下側）に向かって、インレット１１０を保護する保護層２０１と、無線タグ回路素子Ｔｏを含むインレット１１０と、インレット１１０を配置した基板２０２と、貼付対象に対して本貼りをおこなうための強粘着材層２０３と、強粘着材層２０３を覆い、本貼りの際に剥離される剥離紙（剥離材層）２０４と、貼付対象に対して複数回着脱可能に仮貼りをおこなうための弱粘着材層２０５と、弱粘着材層２０５を覆い、仮貼りの際に剥離される剥離紙（剥離材層）２０６と、を備えた多層構造に形成されている。
【００２９】
保護層２０１は、たとえば、透明なＰＥＴ（ポリエチレンテレフタラート）などから構成されており、裏面に印字などが施される構成でもよい。そして、保護層２０１は、基板２０２との間に配置されたインレット１１０を外部の刺激などによる損傷から保護する。
【００３０】
強粘着材層２０３には、たとえば、溶剤型のアクリル系粘着材が用いられ、弱粘着材層２０５には、たとえば、エマルジョン型のアクリル系粘着材が用いられる。アクリル系粘着材は、アクリルポリマー、硬化剤、粘着付与剤、添加剤などから構成されている。
【００３１】
弱粘着材層２０５は、強粘着材層２０３よりも弱い粘着力で貼付対象に貼付され、貼付と剥離とを複数回繰り返すことができる。換言すれば、無線タグラベルＴは、弱粘着材層２０５によって貼付対象に対して再貼付可能に剥離できる仮貼りされる構成である。より具体的には、たとえば、弱粘着材層２０５は、ＪＩＳ規格に準拠した粘着力測定（温度：２３±２℃、湿度５０±５％）において０．５Ｎ／２５ｍｍ程度の粘着力を有する構成としてもよい。
【００３２】
強粘着材層２０３は、弱粘着材層２０５よりも強い粘着力で貼付対象に貼付される。具体的には、たとえば、強粘着材層２０３は、ＪＩＳ規格に準拠した粘着力測定において５．１Ｎ／ｍｍ程度以上の粘着力とする構成でもよい。また、強粘着材層２０３は、剥離紙２０４によって覆われており、剥離紙２０４が剥離されて露出することで貼付対象へ貼付される。すなわち、無線タグラベルＴは、弱粘着材層２０５によって貼付対称に仮貼りされた後、剥離紙２０４が剥離されてから強粘着材層２０３によって本貼りがおこなわれる。
【００３３】
剥離紙２０４は、弱粘着材層２０５と、強粘着材層２０３との間に設けられ、強粘着材層２０３によって無線タグラベルＴが貼付対象に貼付される際、弱粘着材層２０３とともに剥離される。この剥離紙２０４は、強粘着材層２０３との剥離に必要な剥離強度の方が、弱粘着材層２０５との剥離強度よりも大きい構成である。
【００３４】
すなわち、強粘着材層２０３と、剥離紙２０４との粘着力の方が、弱粘着材層２０５と、剥離紙２０４との粘着力よりも大きい構成である。このような構成とすることで、無線タグラベルＴが、弱粘着材層２０５によって貼付対象に仮貼りされた後に剥離される場合であっても、無線タグラベルＴから剥離紙２０４および弱粘着材層２０５が分離することなく、弱粘着材層４０５によって貼付対象に再貼付（仮貼り）が可能となる。
【００３５】
この無線タグラベルＴは、たとえば、まず貼付対象に貼付する際、弱粘着材層２０５を覆う剥離紙２０６を剥離して、貼付対象側に弱粘着材層２０５を露出させる。そして、弱粘着材層２０５によって、貼付対象に仮貼りをおこなう。そして、図示しない無線タグ通信装置などによって無線タグラベルＴと通信をおこない、正常に無線タグラベルＴと通信できるかを確認する。
【００３６】
貼付対象に仮貼りした無線タグラベルＴと正常に通信ができない場合は、貼付対象と弱粘着材層２０５を分離させることで、貼付対象から無線タグラベルＴを剥ぎ取る。そして、貼付対象の別の貼付場所を探して、弱粘着材層２０５によって、貼付対象に仮貼りをおこなって通信動作の確認を繰り返す。
【００３７】
一方、貼付対象に仮貼りした無線タグラベルＴと正常に通信ができた場合は、つづいて強粘着材層２０３を覆う剥離紙２０４を剥離して、強粘着材層２０３から剥離紙２０４および弱粘着材層２０５を分離して強粘着材層２０３を貼付対象側に露出させる。そして、強粘着材層２０３によって、貼付対象に本貼りをおこなうこととなる。
【００３８】
以上説明したように、本発明の実施形態１にかかる無線タグラベルは、弱粘着材層によって貼付対象に対して仮貼りをおこなうことができるため、貼付対象の環境の影響で無線タグラベルが正常に動作しない場合であっても、正常に動作する環境となるよう何度も貼付しなおすことができる。そして、強粘着材層によって貼付対象に本貼りをおこなうことができるため、無線タグラベルを無駄にすることなく、効率的なＲＦＩＤシステムを実現することができる。すなわち、無線タグラベルが正常に通信できない環境下から正常な通信がおこなわれるように無線タグラベルの貼りなおしを可能にしているため、無線タグラベルの無駄を防止することができる。
【００３９】
（その他の一部の変形例）
本発明の実施形態１では特に、貼付対象に貼付する前の状態では、弱粘着材層２０５の貼付対象側（図２中下側）にも剥離紙２０６を設ける構成として説明した。このような構成とすることで、無線タグラベルＴを一枚ずつ用意することができる。また、弱粘着材層２０５の貼付対象側に剥離紙を設けずに複数枚の無線タグラベルＴを重ねて用意する構成でもよい。具体的には、無線タグラベルＴの弱粘着材層と、別の無線タグラベルＴの保護層とを重ねて貼り付ける構成とする。このような構成より、複数枚の無線タグラベルＴをまとめて用意することができる。また、弱粘着材層２０５の貼付対象側の剥離紙が不要となってコストダウンすることが可能である。
【００４０】
また、本発明の実施形態１では特に、剥離紙の下側の全面に弱粘着材層を設ける構成としたが、弱粘着材層は、貼付対象に対する貼付面の少なくとも一部に設ける構成としてもよい。このようにすれば、粘着材の節約をすることができる。
【００４１】
（実施形態２）
つぎに、本発明の実施形態２について説明する。本発明の実施形態２では、前述の実施形態１において示した無線タグラベルＴについて剥離紙の形状が異なる場合について説明する。図３は、本発明の実施形態２にかかる無線タグラベルの層構造を模式的に表す断面図である。
【００４２】
図３において、無線タグラベルＴは、上面側（図３中上側）から貼付対象（図３中下側）に向かって、保護層３０１と、インレット１１０と、基板３０２と、強粘着材層３０３と、剥離紙３０４と、弱粘着材層３０５と、剥離紙３０６と、を備えた多層構造に形成されている。なお、保護層３０１、インレット１１０、基板３０２、強粘着材層３０３、剥離紙３０４、弱粘着材層３０５、剥離紙３０６について、それぞれ実施形態１において図２に示した保護層２０１、インレット１１０、基板２０２、強粘着材層２０３、剥離紙２０４、弱粘着材層２０５、剥離紙２０６と同様な部分については説明を省略する。
【００４３】
剥離紙３０４は、外縁の一部に無線タグラベルＴの本体からはみ出した剥離用のつまみ３０６を備えている。このつまみ３０６は、強粘着材層３０３から剥離紙３０４を剥離させる際に用いられる。具体的には、弱粘着材層３０５によって仮貼りがされた後に、利用者によってつまみ３０６がつままれて強粘着材層３０３と、剥離紙３０４とが剥離されることとなる。
【００４４】
以上説明したように、本発明の実施形態２にかかる無線タグラベルによれば、前述の実施形態１に挙げた機能に加え、剥離用のつまみを備える構成としたことで、強粘着材層と、剥離紙とを容易に剥離させることができる。換言すれば、仮貼りと本貼りを容易に行うことができるため、無線タグラベルＴの利便性を高めることができる。
【００４５】
（実施形態３）
つぎに、本発明の実施形態３について説明する。本発明の実施形態３では、前述の実施形態１および２において示した無線タグラベルＴにおいて、強粘着材層２０３，３０３および弱粘着材層２０５，３０５が同一面上に形成されている場合について説明する。図４は、本発明の実施形態３にかかる無線タグラベルの層構造を模式的に表す断面図である。図５は、図４に示した無線タグラベルのＡ−Ａ矢視を示す説明図である。
【００４６】
図４において、無線タグラベルＴは、上面側（図４中上側）から貼付対象（図４中下側）に向かって、インレット１１０を保護する保護層４０１と、無線タグ回路素子Ｔｏを含むインレット１１０と、インレット１１０を配置した基板４０２と、貼付対象に対して本貼りをおこなうための強粘着材層４０３および仮貼りをおこなうための弱粘着材層４０５からなる粘着材層４１０と、粘着材層４０３を覆う剥離紙４０４と、を備えた多層構造に形成されている。なお、保護層４０１、インレット１１０、基板４０２、強粘着材層４０３、剥離紙４０４、弱粘着材層４０５について、それぞれ実施形態１において図２に示した保護層２０１、インレット１１０、基板２０２、強粘着材層２０３、剥離紙２０４、弱粘着材層２０５と同様な部分については説明を省略する。
【００４７】
粘着材層４１０は、図５に示すように、同一面の中央部分に弱粘着材層４０５を備え、その周囲に強粘着材層４０３を備えている。具体的には、粘着材層４１０は、基材の貼付対象側に設けられ、たとえば、強粘着材層４０３の基材に対応する部分がマスキングされた状態で弱粘着材層４０５が塗布され、強粘着材層４０３をマスキングして弱粘着材層４０５が塗布されて形成される。あるいは、同様にして、強粘着材層４０３が塗布されてから弱粘着材層４０５が塗布されたり、予め強粘着材層４０３および弱粘着材層４０５が羅形成される略シート状の粘着材層４１０が基材に貼着されて形成されることとしてもよい。
【００４８】
剥離紙４０４は、弱粘着材層４０５に対応する部分と、強粘着材層４０３に対応する部分との境界にハーフカット線が設けられている。このような構成にすることで、実施形態３では、弱粘着材層４０５に対応する剥離紙４０４だけ剥がして無線タグラベルＴを貼付対象に仮貼りすることができる。そして、仮貼りの後は、強粘着材層４０３に対応する剥離紙４０４を剥がして本貼りをすることができる構成である。
【００４９】
具体的には、無線タグラベルＴの仮貼りは、弱粘着材層４０５に対応する部分の剥離紙４０６を剥離し、強粘着材層４０３に対応する部分の剥離紙４０４をそのままにしておこなう。より具体的には、弱粘着材層４０５に対応する部分の剥離紙４０４のハーフカット線から内側の部分のみを剥離して、強粘着材層４０３に対応する周囲の剥離紙４０６を残したままにしておく。このようにすることで、仮貼りの際には、周囲が貼付対象に貼付されない状態を保ちつつ、弱粘着材層４０３によって貼付対象に再貼付可能に貼付されることとなる。
【００５０】
そして、貼付対象に対して露出した弱粘着材層４０３によって、貼付対象に仮貼りをおこなう。その後、図示しない無線タグ通信装置などによって無線タグラベルＴと通信をおこない、正常に無線タグラベルＴと通信できるかを確認する。貼付対象に仮貼りした無線タグラベルＴと正常に通信ができない場合は、貼付対象と弱粘着材層４０５を分離させることで、貼付対象から無線タグラベルＴを剥ぎ取る。そして、貼付対象の別の貼付場所を探して、弱粘着材層４０５によって、貼付対象に仮貼りをおこなって通信動作の確認を繰り返す。
【００５１】
一方、貼付対象に仮貼りした無線タグラベルＴと正常に通信ができた場合は、つづいて強粘着材層４０３を覆っている剥離紙４０４を剥離して、強粘着材層４０３および弱粘着材層４０５からなる粘着材層４１０の全面を貼付対象側に露出さえる。無線タグラベルＴの本貼りは、粘着材層４１０の全面によって貼付対象に貼付することとなる。
【００５２】
このように、弱粘着材層４０５と強粘着材層４０３とを同一面に構成して仮貼りと本貼りをおこなえる構成としたことで、仮貼り時のインレット１１０（タグ側アンテナ１０２）から貼付対象までの距離と本貼り時のインレット１１０（タグ側アンテナ１０２）から貼付対象までの距離が均一に保たれる。すなわち、本貼りをおこなう環境を正確に再現した状態で仮貼りをおこなうことができる構成となる。
【００５３】
以上説明したように、本発明の実施形態３にかかる無線タグラベルによれば、前述の実施形態１に挙げた機能に加え、弱粘着材層、強粘着材層を同一面にしているため、粘着材の節約を図りつつ効率的なＲＦＩＤシステムを実現することができる。
【００５４】
（その他の一部の変形例）
本発明の実施形態３では特に、無線タグラベルＴの貼付対象の貼付面の中央付近に弱粘着材層を設けて、その周囲に強粘着材層を設ける構成としたがこれに限ることはない。具体的には、たとえば、図６および図７に示すような構成として、無線タグラベルＴを貼付対象に対して仮貼りと本貼りを実現できる構成としてもよい。
【００５５】
図６は、本発明の実施形態３の変形例にかかる無線タグラベルの層構造を模式的に表す断面図である。図７は、図６に示した無線タグラベルのＢ−Ｂ矢視を示す説明図である。図６において、無線タグラベルＴは、保護層６０１と、インレット１１０と、基板６０２と、強粘着材層６０３および弱粘着材層６０５からなる粘着材層６１０と、剥離紙６０６と、を備えた多層構造に形成されている。なお、保護層６０１、インレット１１０、基板６０２、強粘着材層６０３、剥離紙６０４、弱粘着材層６０５、粘着材層６１０について、それぞれ実施形態３において図４に示した保護層４０１、インレット１１０、基板４０２、強粘着材層４０３、剥離紙４０４、弱粘着材層４０５、粘着材層４１０と同様な部分については説明を省略する。
【００５６】
粘着材層６１０は、図７に示すように、同一面のそれぞれ交互にコの字の入れ子状に強粘着材層６０３および弱粘着材層６０５を備えている。また、剥離紙６０６は、弱粘着材層６０５に対応する部分と、強粘着材層６０３に対応する部分との境界にハーフカット線が設けられている。このような構成にすることで、弱粘着材層６０５に対応する剥離紙６０６だけ剥がして無線タグラベルＴを貼付対象に仮貼りすることができる。そして、仮貼りの後は、強粘着材層６０３に対応する剥離紙６０６を剥がして本貼りをすることができる構成である。
【００５７】
また、強粘着材層および弱粘着材層の形状は、図６および図７に限ることはない。具体的には、たとえば、図８や図９に示すような形状（強粘着材層８０３，９０３および弱粘着材層８０５，９０５）としてもよい。図８は、本発明の実施形態３の変形例にかかる粘着材層の他の形状を示す説明図（その１）である。図９は、本発明の実施形態３の変形例にかかる粘着材層の他の形状を示す説明図（その２）である。図６〜図９に示す変形例のように、同一面にさまざまな形状に強粘着材層６０３，４８０３，９０３および弱粘着材層６０５，８０５，９０５を形成することで、無線タグラベルＴの汎用性を高めることができる。
【図面の簡単な説明】
【００５８】
【図１】本発明の実施形態１にかかる無線タグラベルの一例を示す平面図である。
【図２】図１に示した無線タグラベルの層構造を模式的に表す断面図である。
【図３】本発明の実施形態２にかかる無線タグラベルの層構造を模式的に表す断面図である。
【図４】本発明の実施形態３にかかる無線タグラベルの層構造を模式的に表す断面図である。
【図５】図４に示した無線タグラベルのＡ−Ａ矢視を示す説明図である。
【図６】本発明の実施形態３の変形例にかかる無線タグラベルの層構造を模式的に表す断面図である。
【図７】図６に示した無線タグラベルのＢ−Ｂ矢視を示す説明図である。
【図８】本発明の実施形態３の変形例にかかる粘着材層の他の形状を示す説明図（その１）である。
【図９】本発明の実施形態３の変形例にかかる粘着材層の他の形状を示す説明図（その２）である。
【符号の説明】
【００５９】
Ｔ  無線タグラベル
１０１  ＩＣ回路部
１０２  タグ側アンテナ
１１０  インレット
Ｔａ，Ｔｂ  領域タグ
２０１，３０１，４０１，６０１  保護層
２０２，３０２，４０２，６０２  基板
２０３，３０３，４０３，６０３，８０３，９０３  弱粘着材層
２０４，２０６，３０４，３０６，４０４，６０４  剥離紙
２０５，３０５，４０５，６０５，８０５，９０５  強粘着材層
３０６  つまみ
４１０，６１０  粘着材層
【図１】
2010079800.tif 000003
【図２】
2010079800.tif 000004
【図３】
2010079800.tif 000005
【図４】
2010079800.tif 000006
【図５】
2010079800.tif 000007
【図６】
2010079800.tif 000008
【図７】
2010079800.tif 000009
【図８】
2010079800.tif 000010
【図９】
2010079800.tif 000011